(57)【要約】      （修正有）【課題】コンパクトで環境汚染も無く安全な発電装置を提供する。【解決手段】水素ガスと酸素ガスを小型燃焼爆発タンク内に噴射し、発火用プラグで着火燃焼させ、ガス噴射口の反対側に直線状ノズル管を設け、直線状ノズル管は直線状ラバルノズル管６に連結し、燃焼した高温高圧水蒸気ガス流は直線状ラバルノズル管６のノズル効果により高速度水蒸気ガス流となり、直線状ラバルノズル管の内部に備えた花形プロペラＡ１、Ｂ１、Ｃ１を高速回転させる。花形プロペラの回転は歯車機構を介して発電機に伝えられる。【選択図】図２
2006052714.tif 000002
【特許請求の範囲】
【請求項１】
液体水素液体酸素を気化器で気化した水素ガスと酸素ガスを小型燃焼爆発タンク１に噴射し、水素ガス噴射口２と酸素ガス噴射口３の中間に発火用プラグ４を設置し、水素ガス噴射口２と酸素ガス噴射口３の反対側に直線状ノズル管５を設け、その先は直線状ラバルノズル管６に繋がり、爆発高温高圧水蒸気ガス流ａ１は直線状ラバルノズル管６のノズル効果によって高温高圧高速度水蒸気ガス流ａ２となり、直線状ラバルノズル管６の内壁に接する事の無い耐熱性の花形プロペラ３基Ａ１，Ｂ１，Ｃ１を設け、高温高圧高速度水蒸気ガス流ａ２により花形プロペラＡ１，Ｂ１，Ｃ１を高速度回転させて、花形プロペラＡ１，Ｂ１，Ｃ１の回転元軸Ａ２，Ｂ２，Ｃ２を高速度回転させ、図２の様に直線状ラバルノズル管６の外で回転元軸Ｂ２，Ｃ２の先端ギヤＢ３、Ｃ３とギヤＢ４，Ｃ４と噛み合わせ、ギヤＢ３，Ｃ３よりギヤＢ４，Ｃ４の回転を速くし、３基の発電機の回転子軸にギヤＡ２，Ｂ４，Ｃ４を繋ぎ、各回転子が発電機の磁力線を高速度で切り多量の電力を起こし、余分の電力は蓄電器に蓄電し、それでも電力が余る時は燃焼爆発を止めるか、ギヤＢ３，Ｃ３とギヤＢ４，Ｃ４のクラッチを外しＡ２のみ回転させて発電量を下げ、又より多くの電力が必要な時は爆発燃焼室タンク１にコンピュ−タ制御された水素ガス量、酸素ガス量の供給時間間隔を短かくし、単位時間毎の供給量を多くし、爆発ガス量を多くすれば直線状ラバルノズル管６を通る高温高圧高速度水蒸気ガス流ａ２の速度が速くなり、あるいは直線状ノズル管５に対する直線状ラバルノズル管６のパイプ直径比を小さくし、つまり直線状ラバルノズル管６÷直線状ノズル管５の直径比を小さくし、それに比例して花形プロペラも小さくすればよく、水素ガス酸素ガスの爆発とノズル効果による高温高圧高速度水蒸気ガス流ａ３を利用する事を特徴とする小型発電機装置。
【請求項２】
小型爆発燃焼室タンク１から直線状ラバルノズル管６までを図１の様に大型第１水槽Ｏ内に含み、水槽内にはパイプ２１より冷水を注入して熱機関を常に冷却し、第１水槽Ｏ内の温水表面温度が一定温度以上になれば第１水槽Ｏ内のパイプ２１より冷水が注入され、溢れた温水はパイプ１７より下段にある第２水槽１８へ流込み、第１水槽の表面水温が一定温度になるまで冷水が注入され、第２水槽の不要の温水はＭ３より放水されるようにコンピュ−タ制御され、多量の電力と多量の温水が同時に得られる事を特徴とする発電機装置に付属する温水装置。
【請求項３】
直線状ラバルノズル管６内の花形プロペラを回転させた後の高温高圧水蒸気ガスａ３は図４の様に枝分かれした管７、８、９の内の８の本管を第２水槽１８に向けて管１０を通って直進し、管７、管９の入口部分に電動式開閉弁Ｅ，Ｆを設け、管７は室内スチ−ム用に利用し、管９は多目的用の高温高圧水蒸気ガスａ３の利用に供し、不要時には管７、管９の弁Ｅ，Ｆを締め高温高圧水蒸気ガスａ３全部が管１０に直進、又は管７のスチ−ム回路を巡った時の高温高圧水蒸気ガスａ３は図４のＧ点で管８と合流して本管１０に流れて行くように出来、高温高圧水蒸気ガス流ａ３は室内の保温や多目的用の高温高圧水蒸気ガスとしても利用出来る事を特徴とする発電機装置に付属する高温高圧水蒸気ガス装置。
【請求項４】
第２水槽１８に高温高圧水蒸気ガスａ３を注入する管１０は第２水槽１８のＨ１側よりＳ字形１１、１２、１３、１４、１５となって第２水槽水１８に漬かり、水蒸気管１１、１２、１３部分の外部で水槽水が温められ、第２水槽１８内の水蒸気管１５の先端２０はラッパ状に開き、ここより高温高圧水蒸気ガスａ３が水中に噴射され、水を温めガス自身は温水と成り、又水蒸気管１５部分に穴を多く開け、ここからも多くの高温高圧水蒸気ガスａ３が噴射され、又管内水蒸気ガス圧が落ちた時管内に温水が逆流し、第２水槽内の温水面が下がり管１５の穴が空中に露出するから管内の温水がこの穴から水槽に落ちて温水は水蒸気管１４まで達しないようにし、第２水槽Ｈ２側部分には３段の温水出口Ｍ１，Ｍ２，Ｍ３を設け，温度に関しＭ１＞Ｍ２＞Ｍ３と成るから目的に合った温水を取水口Ｍ１，Ｍ２，Ｍ３より取り出し、温水口より接続管入口Ｎ１，Ｎ２，Ｎ３に電気式開閉弁を施し，温水の出し締め及び水量をコントロ−ルし更に第２水槽１８の温度調整には発電機で起こした電力を利用し、電気ヒ−タＫによって温水温度を上げる事も出来、以上の事を備えた事を特徴とする発電機装置に付属する温水装置。
【発明の詳細な説明】
【技術分野】
【０００１】  本発明の小型発電機は個人が各家庭で各法人が会社で利用出来、発電後環境に害になる物質を何一つ残さない理想の発電機であり、燃料の液体水素、液体酸素をガス化して燃焼させ発電した後に残った水蒸気ガスはそのまま温水にして利用する。
【背景技術】
【０００２】従来の発電方法は個人で発電する事等考えられず、大手発電会社から配電を受けるのみで、個人ではどうにもならなかったし、その上料金に振り回された。【０００３】  従来の発電について個人に対する任意性は全ったく無ったが、安全性は十分あり、今は発電の自由性はあるが自家発電の安全は自己責任であり、自由で簡便な方法それは、水素酸素系ロケットエンジン、特に自動車用水素酸素系ロケットエンジン式の発電と排気ガスの主成分ガスである水蒸気ガスを利用する方法である。
【参考文献】
【非特許未審査公開広報】
澤田  昌治  特許出願済  「水素酸素系自動車用ロケットエンジン」
【発明の開示】
【発明が解決しようとする課題】
【０００４】  従来の電力は大手発電会社から１００％配電されていたが、小口のちょっとした電力使用にも法的規制があり確かに安全ではあるが料金が大変割高であり、今は全ての電力を電力会社に依存する事には少し抵抗があり、そこで小口の電力を自前したくなり、この要求に応えるのが小型発電機である。【０００５】  本発明の小型発電機は液体水素、液体酸素を気化して爆発使用する為、発電後に熱水蒸気が生じ、水蒸気はそのまま温水機の湯となり、後に不要な物質を何一つ残さない大変環境に優れた発電機である。
【課題を解決するための手段】
【０００６】  本発明は発電を何処の場所でも出来、発電後環境汚染を起こす物質を何一つ残さない事を特徴とする。
【発明の効果】
【０００７】  液体水素、液体酸素を液化した水素ガス、酸素ガスは爆発燃焼室タンク内で爆発を起こし、生成した高温高圧高速度ガスは直線状ノズル管内にある花形プロペラの羽根を高速度回転させ、花形プロペラの元軸も高速度回転させ、花形プロペラの元軸に繋がる発電機の回転子を高速度回転させる為、多量の電力が得られ、更に発電の仕事を済ませた高温高圧水蒸気ガスの一部は暖房用スチ−ム水蒸気としても利用出来、一部は洗浄用水蒸気としても利用出来、主流は水槽水の中に放出され、水槽水は温められて温水と成り、水槽水の温度をより一層上げるには発電された電力と水槽中のヒ−タを利用し、何も後に残らない利用度の高い発電機である。
【発明を実施するための最良の形態】
【０００８】  発電機能をコンパクトにして、しかも仕事をした後に環境変化に何の支障も起こさせない物質を燃料に利用する方法である。【０００９】  使用燃料は人間に一切害を与えない物質を選び、次にその物質が大量に得られ、安全でコストが安い条件が必要で、実際コスト面で現状では問題が有るが、いずれ量産されるようになれば安価になると思われます。安全面では構造的にいくらでも改良工夫されるが、人間に害にならない物質を扱う事が必要である。
【実施例】
【００１１】  以下本発明に係わる水素酸素系小型発電機及び温水器を図面で説明する。
図１の様に爆発燃焼室タンク１は略電球形状をし、萎んだ方向に太めのノズル管５があり、更にノズル管６は細くなり、一方電球型の頭方向の膨らんだ部分に水素ガス、酸素ガスの噴射口２、３があり、２、３から液体水素、液体酸素より液化された水素ガス、酸素ガスが連続噴射し、その量は水素ガス：酸素ガス＝２：１、両噴射口２、３の中間点に点火プラグ４が設置され、プラグ４が点火されると爆発燃焼室タンク１内で連続爆発が起き、発生した高温高圧水蒸気ガスａ１はノズル管５へ流れ、更にノズル効果でノズル管６内でより高温高圧高速度水蒸気ガスａ２となる。【００１２】  ノズル管６の内径はノズル管５の内径より細く、ノズル効果により速度はａ２＞ａ１つまり高温高圧高速度水蒸気ガス流ａ２＞高温高圧水蒸気ガス流ａ１でノズル管６内の速度は一段と速くなり、ノズル管６内にある花形プロペラＡ１，Ｂ１，Ｃ１はノズル管６に触れる事なく高温高圧高速度水蒸気ガスａ２を受けて高速度回転し、プロペラＡ１，Ｂ１，Ｃ１の高速度回転によってプロペラ元軸Ａ２，Ｂ２，Ｃ２も  高速度回転する。【００１３】  図２、３の様にプロペラ元軸Ｂ２，Ｃ２のプロペラと反対側の端にギヤＢ３，Ｃ３を設け、Ｂ３，Ｃ３よりギヤ比の小さいギヤＢ４，Ｃ４を噛み合わせ、より高速度回転軸Ｂ５，Ｃ５を得、軸Ａ２，Ｂ５，Ｃ５は３基の発電機の回転子に繋がり、回転子が高速度で回転して発電機の磁力線を高速度で切るから多量の電力が得られ、必要以上に電力が出来れば蓄電器に蓄電するか、あるいは噛み合わせギヤをスライドして外すか、爆発用の燃料供給を中止して発電を中止するかである。【００１４】  花形プロペラを通過した高温高圧水蒸気ガスａ３は図４の様に三叉路通路７、８，９に差しかかり、まず通路７でコックＥが開閉出来、通路７は暖房用スチ−ムに利用され、使用、不要時でコックＥの開閉し、暖房用に利用した場合はスチ−ム路を一巡しして通路８のＧ点で合流し、通路９は高温高圧水蒸気ガスａ３で洗浄する時に利用、要、不要時でコックＦを開閉、通路８は高温高圧水蒸気ガスａ３の本筋で図５の様に管１０に繋がる。【００１５】  図１の平面図の様に燃焼室爆発タンク１、ノズル管５、ノズル管６を全部水没出来る大型水槽の第１水槽Ｏに冷却水を注入する管２１をコ−ナに設け、ここより冷水を注入し、図２、３の断面図から解る様に第二水槽１８への誘導管１７の部分まで冷水を入れ、第１水槽Ｏの表面温水温度が一定温度まで上がればコンピュ−タ制御で冷水が管２１より第１水槽Ｏの底に注水され、溢れた温水は誘導管１７を通って第２水槽１８に流れ行き、第１水槽Ｏの表面温度が一定温度まで下がれえばコンピュ−タ制御で冷水の注入が止まる。【００１６】  図５は第２水槽１８のＨ１側に管１０から管１１、１２、１３、１４、１５、部分のＳ字形部分が第２水槽に漬かり、管１１、１２、１３、１５部分で  熱交換が起き、管１５部分では管が穴だらけにしてあり、ここより高温高圧水蒸気ガスａ３が噴射し、管１５の先端２０はラッパ状に開き、高温高圧水蒸気ガスａ３は２０部分で  水中に完全放出され高温高圧水蒸気ガスａ３は第２水槽水中で温水と成り、又冷水は管１９により第２水槽１８の底部分に注入され、高温高圧水蒸気ガスａ３により��水と成り、第２水槽１８のＨ２側部分に温水取り出し口が上より３箇所Ｍ１，Ｍ２，Ｍ３とあり、各取り出し口に温水の出し締め用のコックが上よりＮ１，Ｎ２，Ｎ３と設置され、この開閉も取り出し温水温度設定もコンピュ−タで調整できる。【００１７】  第２水槽のＳ字型管１５部分に沢山の穴が開いていて、この穴より高温高圧水蒸気ガスａ３が噴射しているが、発電が止まった時には管内の圧力が低下し、温水が管１５内を逆流して上昇し、第２水槽の温水面が低下して管１５の穴が空中に露出し、この為管１５内の温水が管１５の穴より再び第２水槽１８に放出され元の状態になる。【００１８】  第２水槽の温水は深さによって温度が異なるから水槽深さの違う位置の温度Ｍ１＞Ｍ２＞Ｍ３を利用して必要温度の湯が利用出来るが、一定温度の湯が多量に必要な時は攪拌機２２で攪拌すれば良く、又高温の湯が必要なら発電機で起こした電気を利用してヒ−タＫで温水を温め、取り出し口Ｍ１を利用すれば良く、高温の湯が多量に必要な時はヒ−タＫと攪拌機２２を利用して第２水槽の温水を一定にして，取り出し口Ｍ１，Ｍ２，Ｍ３の何処からでも取り出せる。
【産業上の利用可能性】
【００１９】  本発明の利用価値は排出ガスの水蒸気ガスそのものも利用出来、しかも環境汚染が全く無く、目的の電力を自由に任意の場所で好きなだけ製造出来るが、大手電力会社の送電電力の様に他人が安全を監視してくれず、自分自身で全ての安全監視をする必要はあるが、その分だけ自由度は高く電力製造費用も安価で、その上湯が自由に使え、安全監視を十分すれば是ほど便利な給湯付き小型発電機は無い。
【図面の簡単な説明】
【００２０】
【図１】爆発燃焼室タンク、ノズル管、熱機関の冷却用第１水槽  平断面図
【図２】ノズル管６内の花形プロペラとプロペラ元軸のギヤ接続  縦断面図
【図３】プロペラ元軸のギヤ接続と高温高圧高速度水蒸気ガス通路  縦断面図
【図４】高温高圧水蒸気ガス通路  平断面図
【図５】第２水槽内の配管と設備、水槽内の水と高温高圧水蒸気ガス気泡の挙動と補給水管及び第１水槽から第２水槽への誘導管  縦断面図
【記号の説明】
【００２１】１――爆発燃焼室タンク  ２――水素ガス噴射口  ３――酸素ガス噴射口
４――発火用プラグ  ５――ノズル管  ６――ラバルノズル管
７――スチ−ム用高温高圧水蒸気管  ８――高温高圧水蒸気流本管
９――多目的高温高圧水蒸気管  １０――７、８の合流本管
１１、１２、１３、１４、１５――第２水槽中のＳ字型水蒸気管
１６――第２水槽ドレン  １７――冷却用第一水槽から温水を第２水槽に誘導する誘導管  １８――第２水槽とその蓋  １９――第２水槽への冷水注入管  ２０――第２水槽内管１５先端ラッパ状開口
２１――第１水槽冷水注入口  ２２――第２水槽内温水攪拌機
Ｏ――第１水槽  Ａ１，Ｂ１，Ｃ１――花形プロペラ
Ａ２，Ｂ２，Ｃ２――花型プロペラ回転元軸  Ｂ３，Ｃ３――ギヤＢ２，Ｃ２と噛み合っているギヤＢ３，Ｃ３  Ｂ４，Ｃ４――ギヤＢ３，Ｃ３と噛み合っているギヤＢ４，Ｃ４  Ｈ１――第２水槽の冷水管及び水蒸気管導入側
Ｈ２――第２水槽温水取り出し口側  Ｋ――第２水槽内温水加熱機
Ｍ１，Ｍ２，Ｍ３――温水取り出し口  Ｎ１，Ｎ２，Ｎ３――温水取り口より温水取り出し量を調整する自動コック  ａ１――爆発による高温高圧水蒸気ガス流  ａ２――ラバルノズル管で高温高圧高速度になった水蒸気ガス流
ａ３――花形プロペラを回転させた後の高温高圧水蒸気ガス
Ｅ――管７の高温高圧水蒸気ガス流の開け締め用自動弁
Ｆ――管９の高温高圧水蒸気ガス流の開け締め用自動弁
Ｇ――高温高圧水蒸気ガス流本管とスチィ−ム流の巡回後の高温高圧水蒸気ガス流との合流点
【図１】
2006052714.tif 000003
【図２】
2006052714.tif 000004
【図３】
2006052714.tif 000005
【図４】
2006052714.tif 000006
【図５】
2006052714.tif 000007